(57)【要約】【課題】容易かつ迅速に、しかも占有面積を増大させることなく薄物の掲示・展示・収納を２倍に増やすことができるパネル反転装置を提供すること。また、加えて、薄物の掲示・展示・収納の姿勢を適宜変更できるようにする。【解決手段】直線状に伸延したガイド部材（１１Ａ，１１Ｂ）と、このガイド部材（１１Ａ，１１Ｂ）に設定長さ範囲内で往復移動可能に保持された移動部材２１と、この移動部材２１に蝶番４１を介して半回転可能に取り付けられかつ薄物（５）を保持可能なパネル３１と、このパネル３１をガイド部材（１１Ａ，１１Ｂ）と平行な位置に係止可能な係止部材５１とを備える。移動部材２１の往復移動範囲内でパネル３１が直線移動および回転するのは許容するが当該往復移動範囲外へ出るのは阻止するリンク機構６１を設ける。リンク機構６１に、パネル３１を半回転途中の所定角度位置で係止させる機能を付加する。【選択図】　　　　図１
2004102170.tif 000002
【特許請求の範囲】
【請求項１】
直線状に伸延した直線ガイド部と、この直線ガイド部に設定長さ範囲内で往復移動可能に保持された移動部と、この移動部にヒンジ部を介して半回転可能に取り付けられかつ薄物を保持可能なパネル部と、このパネル部を直線ガイド部と平行な位置に係止可能な係止部と、を備えたパネル反転装置。
【請求項２】
前記移動部の往復移動範囲内で前記パネル部が直線移動および回転するのを許容するが当該往復移動範囲外へ出るのは阻止するリンク機構を設けた請求項１記載のパネル反転装置。
【請求項３】
前記リンク機構に、前記パネル部を半回転途中の所定角度位置で係止させる機能を付加した請求項２記載のパネル反転装置。
【発明の詳細な説明】
【０００１】
【発明の属する技術分野】
本発明は、薄物（ポスター等の紙類、薄型ケース類、掲示版、薄型キッチン用品など）を保持して反転可能なパネル反転装置に関する。
【０００２】
【従来の技術】
薄物は、高さ寸法に比べて厚さ（幅）寸法が小さいために自立させることは困難乃至は不可能である。そのため、薄物（５）を掲示・展示・収納する場合には、図２５（Ａ），（Ｂ）に示すように、壁面２に貼り付けるか、額縁７等に入れて壁面２に吊るすのが一般的である。なお、上記薄物貼付方法には、ポスター等の薄物（５）等を画鋲などの固定具８を用いて直接壁面２に貼り付ける方法と、壁面２に固定されたボード（図示省略）などを介して間接的に壁面２に貼り付ける方法とがある。
【０００３】
【発明が解決しようとする課題】
ところで、上記した薄物（５）を掲示等する壁面２の面積にも限りがあることから、一定期間ごとに貼り代えたりしているが、例えば図２５（Ｃ）に示すように、古いポスター（５）を取り外して新しいポスター（５Ａ）を貼り付けるには大変な手間がかかる。
【０００４】
また、比較対照等するのに何枚かのポスターを一緒に展示しなければならない場合には、各ポスターを小型のものにしたり、あるいは重ねて展示するなどの措置をとらなければならず、広告効果が著しく減少する不具合が生じる。
【０００５】
また、上記した薄物（５）は、平面的なものが多いが、かかる平面物を単に壁面２に平行に展示等したのではインパクトに欠ける場合があり、視覚的に新しい見せ方の工夫も必要であると思われる。
【０００６】
本発明の目的は、容易かつ迅速に、しかも占有面積を増大させることなく薄物の掲示・展示・収納を２倍に増やすことができるパネル反転装置を提供することにある。また、加えて、薄物の掲示・展示・収納の姿勢を適宜変更することができるパネル反転装置を提供することも目的とする。
【０００７】
【課題を解決するための手段】
上記目的を達成するために、請求項１の発明は、直線状に伸延した直線ガイド部と、この直線ガイド部に設定長さ範囲内で往復移動可能に保持された移動部と、この移動部にヒンジ部を介して半回転可能に取り付けられかつ薄物を保持可能なパネル部と、このパネル部を直線ガイド部と平行な位置に係止可能な係止部と、を備えたものである。
【０００８】
上記請求項１の発明では、パネル部の表面と裏面とにそれぞれ異なるポスター等の薄物を保持し、当該パネル部を反転（半回転）させれば、実質的に２つの薄物を掲示・展示・収納できる。ここで、パネル部を反転するには、移動部を停止させた状態でパネル部を９０°回転させ、その状態でパネル部を直線ガイド部に沿って設定長さ（当該パネル部の回転半径の１／２）だけ直線移動させ、しかる後に最初と同一方向に９０°回転させる。これにより、パネル部を設定長さ範囲内の直線移動と回転操作だけで（したがって、占有面積を増大させることなく）円滑に反転させ、当該反転位置に係止できる。
【０００９】
請求項２の発明は、前記移動部の往復移動範囲内で前記パネル部が直線移動および回転するのは許容するが当該往復移動範囲外へ出るのは阻止するリンク機構を設けたものである。
【００１０】
上記請求項２の発明では、一段と容易かつ迅速に、しかも占有面積を増大させることなく薄物の掲示・展示・収納を２倍に増やすことができる。
【００１１】
請求項３の発明は、前記リンク機構に、前記パネル部を半回転途中の所定角度位置で係止させる機能を付加したものである。
【００１２】
上記請求項３の発明では、請求項２記載の発明の場合と同様な作用・効果を奏し得る他、薄物の掲示・展示・収納の姿勢を適宜変更して広告効果等を一段と高めることができる。
【００１３】
【発明の実施の形態】
以下、本発明の実施形態を図面を参照して説明する。
【００１４】
（第１の実施の形態）
【００１５】
本発明に係るパネル反転装置１０は、図１〜図３に示すように、直線状に伸延した直線ガイド部（１１Ａ，１１Ｂ）と、この直線ガイド部（１１Ａ，１１Ｂ）に設定長さ範囲内で往復移動可能に保持された移動部（２１）と、この移動部（２１）にヒンジ部（４１）を介して半回転可能に取り付けられかつ薄物（５）を保持可能なパネル部（３１）と、このパネル部（３１）を直線ガイド部（１１Ａ，１１Ｂ）と平行な位置に係止可能な係止部（５１）とを備え、薄物（５）を保持したパネル部（３１）を反転可能に構成されている。
【００１６】
本パネル反転装置１０は、住宅建設業界、住宅設備業界、家具業界、文具、紙製品、事務機器業界、店舗什器業界、娯楽・遊具業界、イベント取り扱い業界等で適用可能である。
【００１７】
以下、本パネル反転装置１０の各構成要素について説明する。
【００１８】
まず、直線ガイド部は、取付板１５に図１中上下方向に所定距離離れて配設された一対のガイド部材（１１Ａ，１１Ｂ）から形成されている。各ガイド部材（１１Ａ，１１Ｂ）は、図１および図２に示すように、その横断面形状がＣ字形状に形成されており、横方向に伸延している。この実施形態では、ガイド部材（１１Ａ，１１Ｂ）は、鉄鋼製とされている。また、取付板１５は、木ねじ等の固定部材１６を用いて壁面２に固定可能とされている。なお、壁面２は、凹凸のない平面状の板材から形成されている。
【００１９】
次に、移動部は、上記両ガイド部材（１１Ａ，１１Ｂ）に各スライダ２２を介して横移動可能に保持された移動部材２１から形成されている。移動部材２１は、上下方向に伸延している。この実施形態では、移動部材２１は鉄鋼製とされている。
【００２０】
また、パネル部は、基端部３２が移動部材２１に蝶番４１を介して半回転（１８０°回転）可能に取り付けられたパネル３１から形成されている。このパネル３１は、ガイド部材（１１Ａ，１１Ｂ）、蝶番４１および移動部材２１を介して、壁面２に極力接近した状態で往復移動可能および半回転可能とされている。このパネル３１の表面３４と裏面３５とは、同一面積を有しており、薄物（ポスター等）を保持可能に形成されている。この実施形態では、木製とされている。パネル３１の横寸法（ｗ）は２９５ｍｍ、縦寸法（ｈ）は４５０ｍｍ、厚さ（ｔ）は６ｍｍ、とされている。パネル３１の回転半径（パネル３１の自由端部３３と蝶番４１の回転中心４２との間の距離）ｒは３００ｍｍとされている。
【００２１】
また、係止部は、パネル３１の下端面３７と摩擦係合して当該パネル３１をガイド部材（１１Ａ，１１Ｂ）と平行な位置に係止可能な係止部材５１から形成されている。より具体的には、係止部材５１は、パネル３１の下端面３７と摩擦係合する面がフェルト（図示省略）で形成されている。
【００２２】
なお、上記した本パネル反転装置１０はユニット化されており、現場で壁面２などに容易かつ迅速に取り付け可能とされている。本パネル反転装置１０は、従来デッドスペース扱いとなっていたＬ型のコーナーでも配設することができ、スペースの有効利用とコーナーでの新しい展開が可能となる。
【００２３】
上記したパネル反転装置１０では、パネル３１の表面３４と裏面３５とにそれぞれ異なる薄物（ポスター等）を保持し、当該パネル３１を反転（半回転）させれば、実質的に２つの薄物を掲示・展示・収納できる。
【００２４】
ここで、パネル３１を反転するには、図４に示すように、移動部材２１を停止させた状態でパネル３１を静止位置（図４中実線で示す位置）から図中反時計回り方向に９０°回転させる。次に、その状態で、図５に示すように、その状態でパネル３１をガイド部材（１１Ａ，１１Ｂ）に沿って設定長さ（当該パネル３１の回転半径ｒの１／２）だけ図中左方向へ直線移動させる。しかる後に、図６に示すように、パネル３１を図中反時計回り方向に９０°回転させる。これにより、パネル３１を設定長さ（ｒ／２）範囲内の直線移動と回転操作だけで（したがって、占有面積を増大させることなく）円滑に反転させ、当該反転位置に係止できる。
【００２５】
なお、薄物として、ポスター以外の紙類（例えば、プロマイド）や、ＣＤケース、キー、キッチン用品、商品説明用パネル、ホワイトボード、コルクボード等を選定することも可能である。
【００２６】
（第２の実施の形態）
【００２７】
第２の実施の形態に係るパネル反転装置１０は、図７〜図１０に示される。すなわち、本パネル反転装置１０は、第１の実施の形態と同一構成の構成要素〔直線ガイド部（１１Ａ，１１Ｂ）、移動部（２１）、ヒンジ部（４１）、パネル部（３１）〕を備えるとともに、移動部（２１）の往復移動範囲内でパネル部（３１）が直線移動および回転するのは許容するが当該往復移動範囲外へ出るのは阻止するリンク機構６１を設けた構成とされている。
【００２８】
具体的には、リンク機構６１は、静止体（この実施形態では、ガイド部材１１Ｂ）に回転支持された一方リンク６２および他方リンク７２と、パネル３１の下端面３７および／または上端面３８に固定され当該両リンク（６２，７２）と相対移動可能に係合する軸部材８２とから形成されている。
【００２９】
この実施の形態では、上記リンク機構６１が、第１の実施の形態の係止部の役目も果たすものとされている。また、このリンク機構６１には、パネル３１を半回転途中の所定角度位置で係止させる機能も付加されている。かかるリンク機構６１によって、パネル３１の自由端部３３を手で持ち当該端部３３が所定方向に回転するように力を加えるだけで、当該パネル３１は円滑に直線移動および回転して反転することになる。
【００３０】
上記各リンク（６２，７２）は、図９に示すように、同一形状とされており、それぞれの基端部（６３，７３）には通し穴（６４，７４）が開けられている。そして、両リンク（６２，７２）の中央部から先端部までの中間部分には、それぞれ長穴（６５，７５）が形成されている。この実施形態では、両リンク（６２，７２）の全長Ｌ１は２３０ｍｍ、通し穴（６４，７４）の中心から長穴（６５，７５）の外方端部（６５ａ，７５ａ）までの距離Ｌ２は２１３ｍｍ、通し穴（６４，７４）の中心から長穴（６５，７５）の内方端部（６５ｂ，７５ｂ）までの距離Ｌ３は１５０ｍｍとされている。
【００３１】
各リンク（６２，７２）は、ガイド部材１１Ｂの下端面１２に一方および他方取付片（６７，７７）および各ボルト（６６Ａ，７６Ａ）・ナット（６６Ｂ，７６Ｂ）を介して回転自在に装着されている。一方取付片６７は、上記した蝶番４１の回転中心４２と整合するガイド部材１１Ｂ下端面部分に固定されており、上記ボルト６６Ａを通すための通し穴（図示省略）が開けられている。他方取付片７７は、一方取付片６７からパネル３１の回転半径分だけ離れたガイド部材１１Ｂ下端面部分に固定されており、上記ボルト７６Ａを通すための通し穴（図示省略）が開けられている。
【００３２】
一方リンク６２は、その通し穴６４が一方取付片６７の通し穴と整合する位置に位置決めされ、その状態で当該両通し穴を挿通したボルト６６Ａをナット６６Ｂで止めることにより、ガイド部材１１Ｂに回転可能に装着されている。同様に、他方リンク７２は、他方取付片７７およびボルト７６Ａ・ナット７６Ｂを介してガイド部材１１Ｂに回転可能に装着されている。
【００３３】
軸部材８２は、蝶番４１の回転中心４２からパネル３１の回転半径ｒの半分だけ離れたパネル３１下端面位置に配設されており、その外周面には雄ねじ部８３が形成されている。この軸部材８２は、両リンク（６２，７２）の長穴（６５，７５）に通されており、その雄ねじ部８３に螺合した一対のナット（８７Ａ，８７Ｂ）で当該両リンク（６２，７２）は所定の押圧力で挟みつけられるものとされている。
【００３４】
したがって、上記各ナット（６６Ｂ，７６Ｂ，８７Ａ，８７Ｂ）の締付力を適宜加減することにより、パネル３１をガイド部材（１１Ａ，１１Ｂ）と平行な位置に確実に係止できる。また、パネル３１を１８０°回転途中の任意角度位置に確実に係止できる。
【００３５】
上記したパネル反転装置１０では、パネル３１の表面３４と裏面３５とにそれぞれ異なるポスターを保持し、当該パネル３１を反転（半回転）させれば、実質的に２枚のポスターを掲示・展示・収納できる。
【００３６】
ここで、パネル３１を反転するには、図１０に示すパネル３１の自由端部３３を手で持ち、当該パネル３１が図中反時計回り方向に回るように力を加える。すると、パネル３１下端面の軸部材８２が各リンク（６２，７２）の長穴（６５，７５）内を移動して、図１１に示すように、当該一方リンク６２の長穴６５の外方端部６５ａと当接する。詳しくは、パネル３１がガイド部材長手軸線方向に対して約４４．４°だけ回転した位置で、軸部材８２は一方リンク６２の長穴６５の外方端部６５ａと当接する。
【００３７】
その状態で、パネル３１の自由端部３３に上記した力が加え続けられると、図１１〜図１３に示すように、パネル３１は軸部材８２を中心として回転するようになり、当該パネル３１と蝶番４１を介して接続された移動部材２１がガイド部材（１１Ａ，１１Ｂ）の長手方向に直線移動する。なお、パネル３１のガイド部材長手軸線方向に対する角度が、図１３に示すように約１３８．２°になると、軸部材８２は他方リンク７２の長穴７５の内方端部７５ｂと当接するようになるので、パネル３１の直線移動および回転は円滑に進められる。
【００３８】
このように、パネル３１の自由端部３３を手で持って一方向に回転すれば、両リンク（６２，７２）の作用によって、パネル３１は設定長さ範囲内で円滑に軸部材８２を中心として回転しつつ直線移動して反転する。これにより、パネル３１を設定長さ（当該パネル３１の回転半径ｒの１／２）範囲内の直線移動と回転操作だけで（したがって、占有面積を増大させることなく）円滑に反転させ、当該反転位置に確実に係止できる。
【００３９】
なお、パネル３１を図１４に示す静止位置から半回転させるには、図１４→図１５→図１６→図１７に示すように、上記した場合と逆の動作を行う。
【００４０】
而して、ガイド部材（１１Ａ，１１Ｂ）と、このガイド部材（１１Ａ，１１Ｂ）に設定長さ範囲（ｒ／２）内で往復移動可能に保持された移動部材２１と、この移動部材２１に蝶番４１を介して半回転可能に取り付けられかつ薄物を保持可能なパネル３１と、このパネル３１をガイド部材（１１Ａ，１１Ｂ）と平行な位置に係止可能な係止部材５１と、を備えているので、パネル３１の表面３４と裏面３５とにそれぞれ異なるポスター等の薄物を保持し、当該パネル３１を反転（半回転）させれば、実質的に２つの薄物を掲示・展示・収納できる。したがって、容易かつ迅速に、しかも占有面積を増大させることなく薄物の掲示・展示・収納を２倍に増やすことができる。
【００４１】
また、移動部材２１の往復移動範囲内でパネル３１が往復移動および回転するのは許容するが当該往復移動範囲外へ出るのは阻止するリンク機構６１を設けたので、一段と容易かつ迅速に、しかも占有面積を増大させることなく薄物の掲示・展示・収納を２倍に増やすことができる。
【００４２】
また、リンク機構６１に、パネル３１を半回転途中の所定角度位置で係止させる機能を付加したので、薄物の掲示・展示・収納の姿勢を適宜変更することができる。
【００４３】
なお、上記第１および第２の実施の形態では、壁面２を凹凸のない平面形状としたが、図１８に示すように、本パネル反転装置１０の上方部分および／または下方部分に当該装置を囲う囲み部４を設けてもよい。また、本パネル反転装置１０を直立させたが、図１９（Ａ），（Ｂ）に示すように、設置目的や用途に応じて、支柱や台の上などに傾斜配設したり、水平配設してもよい。
【００４４】
また、図２０に示すように、壁面２の一部に開口部４を形成するとともに、パネル３１の表面３４および裏面３５に当該開口部４に嵌挿可能なポケット（３９Ａ，３９Ｂ）を設け、両ポケット（３９Ａ，３９Ｂ）に紙類よりは厚みがあって貼り付け難い薄物（例えば、ＣＤケース、キッチン用品、調味料等）を収納することにより、２倍の掲示・展示・収納を得ることも可能である。なお、ポケット（３９Ａ，３９Ｂ）は、各種素材（プラスチック、布、木、網紐等）を用いて形成可能である。
【００４５】
また、図２１および図２２に示すように、壁面２の一部に開口部４を形成するとともに当該開口部４を裏側から覆う透明パネル６を配設し、この透明パネル６に背景〔例えば、図２２（Ａ）に示す海と空〕を描き、パネル３１の表面３４および裏面３５に上記背景に対応した各図柄〔同図（Ｂ）に示す汽船、同図（Ｃ）に示すヨット〕を描くことにより、パネル３１の反転により展示パターンを変えることができ、展示効果を一段と高めることができる。
【００４６】
また、図２３に示すように、パネル３１に副パネル３６を回転可能に装着することにより、更に掲示・展示・収納能力を高めることができる。さらに、図２４に示すように、本パネル反転装置１０を複数個接近配設することにより、展示パターンを更に増大させることができる。例えば、３個の本パネル反転装置１０を接近配設した場合には、展示パターンを最大８倍（＝２×２×２）変えることができる。
【００４７】
なお、上記第２の実施の形態では、リンク機構６１の軸部材８２を、蝶番４１の回転中心４２からｒ／２だけ離れたパネル下端面３７部分に配設したが、それ以外のパネル下端面３７部分に配設してもよい。
【００４８】
【発明の効果】
請求項１の発明によれば、直線ガイド部と、この直線ガイド部に設定長さ範囲内で往復移動可能に保持された移動部と、この移動部にヒンジ部を介して半回転可能に取り付けられかつ薄物を保持可能なパネル部と、このパネル部を第１および第２の静止位置に係止可能な係止部と、を備えているので、パネル部の表面と裏面とにそれぞれ異なるポスター等の薄物を保持し、当該パネル部を反転（半回転）させれば、実質的に２つの薄物を掲示・展示・収納できる。したがって、容易かつ迅速に、しかも占有面積を増大させることなく薄物の掲示・展示・収納を２倍に増やすことができる。
【００４９】
請求項２の発明によれば、移動部の往復移動範囲内でパネル部が直線移動および回転するのは許容するが当該往復移動範囲外へ出るのは阻止するリンク機構を設けたので、一段と容易かつ迅速に、しかも占有面積を増大させることなく薄物の掲示・展示・収納を２倍に増やすことができる。
【００５０】
請求項３の発明によれば、リンク機構に、パネル部を回転途中の所定角度位置で係止させる機能を付加したので、請求項１又は２記載の発明の場合と同様な効果を奏し得る他、薄物の掲示・展示・収納の姿勢を適宜変更することができる。
【図面の簡単な説明】
【図１】本発明の第１の実施の形態を説明するための図である。
【図２】係止部を説明するための側面図である。
【図３】ガイド部材とパネルとの位置関係を説明するための底面図である。
【図４】パネルの反転動作（１）を説明するための図である。
【図５】パネルの反転動作（２）を説明するための図である。
【図６】パネルの反転動作（３）を説明するための図である。
【図７】本発明の第２の実施の形態を説明するための図である。
【図８】移動部材と、ガイド部材と、リンク機構との位置関係を説明するための側面図である。
【図９】リンク機構を説明するための図である。
【図１０】ガイド部材と、パネルと、リンク機構との位置関係を説明するための底面図である。
【図１１】パネルの反転動作（１）を説明するための図である。
【図１２】パネルの反転動作（２）を説明するための図である。
【図１３】パネルの反転動作（３）を説明するための図である。
【図１４】パネルの反転動作（４）を説明するための図である。
【図１５】パネルの反転動作（５）を説明するための図である。
【図１６】パネルの反転動作（６）を説明するための図である。
【図１７】パネルの反転動作（７）を説明するための図である。
【図１８】壁面の変形例を説明するための図である。
【図１９】パネルを傾斜配設、水平配設した図である。
【図２０】パネルにポケット部を設けた変形例を説明するための図である。
【図２１】壁面に背景用の透明パネルを設けた変形例を説明するための図である。
【図２２】図２１の透明パネルとパネルとの協働による展示パターンの変更を説明するための図である。
【図２３】パネルに副パネルを設けた変形例を説明するための図である。
【図２４】本パネル反転装置を複数個接近配設した図である。
【図２５】薄物を展示等する従来方法を説明するための図である。
【符号の説明】
２　壁面
３　囲み部
５　薄物
６　透明パネル
１０　パネル反転装置
１１Ａ，１１Ｂ　ガイド部材
１２　下端面
１５　取付板
１６　固定板
２１　移動部材
２２　スライダ
３１　パネル
３２　基端部
３３　自由端部
３４　表面
３５　裏面
３６　副パネル
３７　下端面
３８　上端面
３９　ポケット
４１　蝶番
４２　回転中心
５１　係止部材
６１　リンク機構
６２　一方リンク
６３　基端部
６４　通し穴
６５　長穴
６５ａ　外方端部
６５ｂ　内方端部
６６Ａ　ボルト
６６Ｂ　ナット
６７　一方取付片
７２　他方リンク
７３　基端部
７４　通し穴
７５　長穴
７５ａ　外方端部
７５ｂ　内方端部
７６Ａ　ボルト
７６Ｂ　ナット
７７　一方取付片
８２　軸部材
８３　雄ねじ部
８６　ボルト
８７Ａ，８７Ｂ　ナット
【図１】
2004102170.tif 000003
【図２】
2004102170.tif 000004
【図３】
2004102170.tif 000005
【図４】
2004102170.tif 000006
【図５】
2004102170.tif 000007
【図６】
2004102170.tif 000008
【図７】
2004102170.tif 000009
【図８】
2004102170.tif 000010
【図９】
2004102170.tif 000011
【図１０】
2004102170.tif 000012
【図１１】
2004102170.tif 000013
【図１２】
2004102170.tif 000014
【図１３】
2004102170.tif 000015
【図１４】
2004102170.tif 000016
【図１５】
2004102170.tif 000017
【図１６】
2004102170.tif 000018
【図１７】
2004102170.tif 000019
【図１８】
2004102170.tif 000020
【図１９】
2004102170.tif 000021
【図２０】
2004102170.tif 000022
【図２１】
2004102170.tif 000023
【図２２】
2004102170.tif 000024
【図２３】
2004102170.tif 000025
【図２４】
2004102170.tif 000026
【図２５】
2004102170.tif 000027